(57)【特許請求の範囲】
【請求項１】
撮像手段を備える撮像装置であって、
前記撮像手段による被写体の撮像指示を入力する操作手段と、
この操作手段により前記撮像指示が入力された後、当該装置本体が特定の姿勢となっているか否かを所定のタイミングで逐次判定する判定手段と、
この判定手段により当該装置本体が特定の姿勢となったと判定された場合に、前記撮像指示の入力に応答して前記撮像手段により撮像された撮像画像を、再生させる再生制御手段と、
前記判定手段により前記撮像指示が入力されてから所定時間が経過するまでに当該装置本体が特定の姿勢となっていないと判定された場合に、その後、当該装置本体が特定の姿勢となったとしても、前記再生制御手段による前記撮像画像の再生を禁止させる禁止制御手段と、
を備えたことを特徴とする撮像装置。
【請求項２】
前記再生制御手段は、
前記判定手段により前記所定時間が経過するまでに当該装置本体が特定の姿勢となったと判定された場合に、直ちに前記撮像画像を再生させることを特徴とする請求項１に記載の撮像装置。
【請求項３】
動作状態が前記撮像画像を再生する再生状態にて、前記判定手段により当該装置本体が特定の姿勢となっていないと判定された場合に、直ちに前記禁止制御手段により前記撮像画像の再生を禁止させて、動作状態として前記撮像手段により被写体を撮像可能な撮像準備状態を設定する動作設定手段を更に備えることを特徴とする請求項１に記載の撮像装置。
【請求項４】
前記動作設定手段は、
動作状態を前記再生状態から前記撮像準備状態に切り替えて設定した後、新たな撮像指示が入力されず、前記判定手段により前記所定時間が経過するまでに当該装置本体が特定の姿勢となったと判定されても、当該動作状態を前記再生状態に切り替えることなく前記撮像準備状態を維持させることを特徴とする請求項３に記載の撮像装置。
【請求項５】
前記操作手段は、半押し操作可能に構成され、
前記動作設定手段は、
動作状態が前記撮像画像を再生する再生状態にて、前記操作手段により半押し操作されると、当該動作状態として前記撮像準備状態を設定することを特徴とする請求項３に記載の撮像装置。
【請求項６】
前記動作設定手段により動作状態が前記撮像準備状態に設定されると、前記撮像手段の焦点を調整する合焦手段を更に備えることを特徴とする請求項５に記載の撮像装置。
【請求項７】
撮像手段と、この撮像手段による被写体の撮像指示を入力する操作手段と、を備える撮像装置を用いた撮像方法であって、
前記操作手段により前記撮像指示が入力された後、当該装置本体が特定の姿勢となっているか否かを所定のタイミングで逐次判定する処理と、
当該装置本体が特定の姿勢となったと判定された場合に、前記撮像指示の入力に応答して前記撮像手段により撮像された撮像画像を、再生させる処理と、
前記撮像指示が入力されてから所定時間が経過するまでに当該装置本体が特定の姿勢となっていないと判定された場合に、その後、当該装置本体が特定の姿勢となったとしても、前記撮像画像の再生を禁止させる処理と、
を行うことを特徴とする撮像方法。
【請求項８】
撮像手段と、この撮像手段による被写体の撮像指示を入力する操作手段と、を備える撮像装置のコンピュータを、
前記操作手段により前記撮像指示が入力された後、当該装置本体が特定の姿勢となっているか否かを所定のタイミングで逐次判定する判定手段、
この判定手段により当該装置本体が特定の姿勢となったと判定された場合に、前記撮像指示の入力に応答して前記撮像手段により撮像された撮像画像を、再生させる再生制御手段、
前記判定手段により前記撮像指示が入力されてから所定時間が経過するまでに当該装置本体が特定の姿勢となっていないと判定された場合に、その後、当該装置本体が特定の姿勢となったとしても、前記再生制御手段による前記撮像画像の再生を禁止させる禁止制御手段、
として機能させることを特徴とするプログラム。
【発明の詳細な説明】
【技術分野】
【０００１】
本発明は、撮像装置、撮像方法及びプログラムに関する。
【背景技術】
【０００２】
従来、ユーザによる動作モードの変更のための操作入力を行う手間を減らすために、装置本体の保持姿勢を検出して、当該保持姿勢に基づいて動作モードを変更する撮像装置が知られている（例えば、特許文献１参照）。
【先行技術文献】
【特許文献】
【０００３】
【特許文献１】特開２００６−２１１４１７号公報
【発明の概要】
【発明が解決しようとする課題】
【０００４】
ところで、上記特許文献１の場合、画像の再生モードなどの所望の動作モードに設定するためには、装置本体の姿勢を特定の状態で所定時間以上保持する必要があり、現在の動作モードから所望の動作モードに切り替えられるまでに待ち時間が生じてしまうといった問題がある。
なお、再生モードなどの所望の動作モードに切り替えられた後、所定時間が経過すると、自動的に撮像モードに変更するようになっているが、この場合には、ユーザの意志とは無関係に動作モードが設定されてしまい、使い勝手が悪いといった問題もある。
【０００５】
そこで、本発明の課題は、ユーザの意図を考慮して動作状態の設定を適正に、且つ、迅速に行うことができる撮像装置、撮像方法及びプログラムを提供することである。
【課題を解決するための手段】
【０００６】
上記課題を解決するため、請求項１に記載の発明の撮像装置は、
撮像手段を備える撮像装置であって、前記撮像手段による被写体の撮像指示を入力する操作手段と、この操作手段により前記撮像指示が入力された後、当該装置本体が特定の姿勢となっているか否かを所定のタイミングで逐次判定する判定手段と、この判定手段により当該装置本体が特定の姿勢となったと判定された場合に、前記撮像指示の入力に応答して前記撮像手段により撮像された撮像画像を、再生させる再生制御手段と、前記判定手段により前記撮像指示が入力されてから所定時間が経過するまでに当該装置本体が特定の姿勢となっていないと判定された場合に、その後、当該装置本体が特定の姿勢となったとしても、前記再生制御手段による前記撮像画像の再生を禁止させる禁止制御手段と、を備えたことを特徴としている。
【０００７】
請求項２に記載の発明は、請求項１に記載の撮像装置において、
前記再生制御手段は、前記判定手段により前記所定時間が経過するまでに当該装置本体が特定の姿勢となったと判定された場合に、直ちに前記撮像画像を再生させることを特徴としている。
【０００８】
請求項３に記載の発明は、請求項１に記載の撮像装置において、
動作状態が前記撮像画像を再生する再生状態にて、前記判定手段により当該装置本体が特定の姿勢となっていないと判定された場合に、直ちに前記禁止制御手段により前記撮像画像の再生を禁止させて、動作状態として前記撮像手段により被写体を撮像可能な撮像準備状態を設定する動作設定手段を更に備えることを特徴としている。
【０００９】
請求項４に記載の発明は、請求項３に記載の撮像装置において、
前記動作設定手段は、動作状態を前記再生状態から前記撮像準備状態に切り替えて設定した後、新たな撮像指示が入力されず、前記判定手段により前記所定時間が経過するまでに当該装置本体が特定の姿勢となったと判定されても、当該動作状態を前記再生状態に切り替えることなく前記撮像準備状態を維持させることを特徴としている。
【００１０】
請求項５に記載の発明は、請求項３に記載の撮像装置において、
前記操作手段は、半押し操作可能に構成され、前記動作設定手段は、動作状態が前記撮像画像を再生する再生状態にて、前記操作手段により半押し操作されると、当該動作状態として前記撮像準備状態を設定することを特徴としている。
【００１１】
請求項６に記載の発明は、請求項５に記載の撮像装置において、
前記動作設定手段により動作状態が前記撮像準備状態に設定されると、前記撮像手段の焦点を調整する合焦手段を更に備えることを特徴としている。
【００１２】
請求項７に記載の発明の撮像方法は、
撮像手段と、この撮像手段による被写体の撮像指示を入力する操作手段と、を備える撮像装置を用いた撮像方法であって、前記操作手段により前記撮像指示が入力された後、当該装置本体が特定の姿勢となっているか否かを所定のタイミングで逐次判定する処理と、当該装置本体が特定の姿勢となったと判定された場合に、前記撮像指示の入力に応答して前記撮像手段により撮像された撮像画像を、再生させる処理と、前記撮像指示が入力されてから所定時間が経過するまでに当該装置本体が特定の姿勢となっていないと判定された場合に、その後、当該装置本体が特定の姿勢となったとしても、前記撮像画像の再生を禁止させる処理と、を行うことを特徴としている。
【００１３】
請求項８に記載の発明のプログラムは、
撮像手段と、この撮像手段による被写体の撮像指示を入力する操作手段と、を備える撮像装置のコンピュータを、前記操作手段により前記撮像指示が入力された後、当該装置本体が特定の姿勢となっているか否かを所定のタイミングで逐次判定する判定手段、この判定手段により当該装置本体が特定の姿勢となったと判定された場合に、前記撮像指示の入力に応答して前記撮像手段により撮像された撮像画像を、再生させる再生制御手段、前記判定手段により前記撮像指示が入力されてから所定時間が経過するまでに当該装置本体が特定の姿勢となっていないと判定された場合に、その後、当該装置本体が特定の姿勢となったとしても、前記再生制御手段による前記撮像画像の再生を禁止させる禁止制御手段、として機能させることを特徴としている。
【発明の効果】
【００１４】
本発明によれば、ユーザの意図を考慮して動作状態の設定を適正に、且つ、迅速に行うことができる。
【図面の簡単な説明】
【００１５】
【図１】本発明を適用した一実施形態の撮像装置の概略構成を示すブロック図である。
【図２】図１の撮像装置によるメイン処理に係る動作の一例を示すフローチャートである。
【図３】図１の撮像装置によるタイマ割込み処理に係る動作の一例を示すフローチャートである。
【発明を実施するための形態】
【００１６】
以下に、本発明について、図面を用いて具体的な態様を説明する。ただし、発明の範囲は、図示例に限定されない。
本実施形態の撮像装置１００は、当該撮像装置１００本体が特定の姿勢となった場合に、撮像部１により撮像された撮像画像を再生表示する。また、撮像装置１００は、被写体の撮像指示が入力されてから所定時間が経過するまでに当該撮像装置１００本体が特定の姿勢となっていない場合に、その後、当該撮像装置１００本体が特定の姿勢となっても、撮像画像の再生表示を禁止する。
【００１７】
図１は、本発明を適用した一実施形態の撮像装置１００の概略構成を示すブロック図である。
図１に示すように、撮像装置１００は、具体的には、撮像部１と、撮像制御部２と、画像データ生成部３と、メモリ４と、画像処理部５と、姿勢検出部６と、動作制御部７と、記録媒体制御部８と、表示処理部９と、表示部１０と、操作入力部１１と、中央制御部１２とを備えている。
【００１８】
撮像部１は、撮像手段として、被写体を撮像して画像フレームを生成する。具体的には、撮像部１は、レンズ部１ａと、電子撮像部１ｂとを備えている。
レンズ部１ａは、ズームレンズやフォーカスレンズ等の複数のレンズから構成されている。
電子撮像部１ｂは、例えば、ＣＣＤ（Charge Coupled Device）やＣＭＯＳ（Complementary Metal-oxide Semiconductor）等のイメージセンサから構成され、レンズ部１ａの各種レンズを通過した光学像を二次元の画像信号に変換する。
なお、図示は省略するが、撮像部１は、レンズ部１ａを通過する光の量を調整する絞りを備えていても良い。
【００１９】
撮像制御部２は、撮像部１による被写体の撮像を制御する。即ち、撮像制御部２は、図示は省略するが、タイミング発生器、ドライバなどを備えている。そして、撮像制御部２は、タイミング発生器、ドライバにより電子撮像部１ｂを走査駆動して、所定周期毎に光学像を電子撮像部１ｂにより二次元の画像信号に変換させ、当該電子撮像部１ｂの撮像領域から１画面分ずつ画像フレームを読み出して画像データ生成部３に出力させる。
【００２０】
また、撮像制御部２は、フォーカスレンズを光軸方向に移動させてレンズ部１ａの合焦位置を調整するＡＦ（自動合焦処理）を行うＡＦ処理部２ａを具備している。
ＡＦ処理部２ａは、例えば、フォーカスモータ等の駆動源と、中央制御部１２からの制御信号に従って駆動源を駆動させるドライバ等（何れも図示略）を具備している。そして、ＡＦ処理部２ａは、撮像部１により撮像されたＡＦエリア（焦点調整領域）内の画像の合焦状態を評価して、当該ＡＦエリア内の画像にフォーカス（ピント）を合わせるようにドライバにより駆動源を駆動させてフォーカスレンズを光軸方向に移動させることにより、レンズ部１ａの合焦位置を調整する（自動合焦処理）。
【００２１】
なお、ＡＦ処理部２ａは、レンズ部１ａに代えて、電子撮像部１ｂを光軸方向に移動させてレンズ部１ａの合焦位置を調整するようにしても良い。
【００２２】
また、撮像制御部２は、ＡＥ（自動露出処理）、ＡＷＢ（自動ホワイトバランス）等の被写体を撮像する際の条件の調整制御を行う。
【００２３】
画像データ生成部３は、電子撮像部１ｂから転送された画像フレームのアナログ値の信号に対してＲＧＢの各色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。
カラープロセス回路から出力される輝度信号Ｙ及び色差信号Ｃｂ，Ｃｒは、図示しないＤＭＡコントローラを介して、バッファメモリとして使用されるメモリ４にＤＭＡ転送される。
【００２４】
メモリ４は、例えば、ＤＲＡＭ（Dynamic Random Access Memory）等により構成され、画像データ生成部３、画像処理部５、姿勢検出部６、動作制御部７、中央制御部１２等によって処理されるデータ等を一時記憶する。
【００２５】
画像処理部５は、メモリ４から画像データを取得して、当該画像データに対する所定の画像処理を行う。
【００２６】
姿勢検出部６は、当該撮像装置１００本体の姿勢を検出する。
即ち、姿勢検出部６は、例えば、加速度検出センサや角速度検出センサなどの動き検出センサ（図示略）を具備し、この動き検出センサからの出力信号に基づいて、当該装置本体に生じる動きの大きさ等の動き情報を取得する。そして、姿勢検出部６は、取得された動き情報に基づいて、鉛直方向に延在する直線と、当該撮像装置１００本体の一面（例えば、レンズが配設されている前面や表示部１０の表示画面が露出されている背面等）とのなす角を算出し、当該撮像装置１００本体の姿勢を検出する。また、姿勢検出部６は、当該撮像装置１００本体の姿勢の検出を所定のタイミング（例えば、所定秒間隔等）で逐次行う。
なお、姿勢検出部６は、例えば、撮像装置１００本体を水平方向と略平行に構えた状態を基準姿勢として、当該基準姿勢からの所定方向（例えば、水平方向等）を軸心とした回動量を特定し、当該回動量に応じて当該撮像装置１００本体の姿勢を検出しても良い。
また、上記の動き検出センサは、例えば、当該撮像装置１００本体内に搭載されても良いし、所定の通信ケーブルにより外部接続されたものであっても良い。
【００２７】
動作制御部７は、当該撮像装置１００の動作状態を制御する。具体的には、動作制御部７は、姿勢判定部７ａと、再生制御部７ｂと、禁止制御部７ｃと、設定制御部７ｄとを具備している。
【００２８】
姿勢判定部７ａは、当該撮像装置１００本体が特定の姿勢となっているか否かを所定のタイミングで逐次判定する。
即ち、姿勢判定部７ａは、ユーザによる操作入力部１１のシャッタボタン１１ａの所定操作（例えば、全押し操作）に基づいて被写体の撮像指示が入力された後、姿勢検出部６により検出された当該撮像装置１００本体の姿勢に基づいて、当該撮像装置１００本体が特定の姿勢となっているか否かを所定のタイミング（例えば、所定秒間隔等）で逐次判定する。
ここで、特定の姿勢としては、例えば、鉛直方向に延在する直線と当該撮像装置１００本体の一面とのなす角が所定の角度以上となっている下向きの姿勢等が挙げられる。また、特定の姿勢は、撮像装置１００本体の基準姿勢に対して相対的に規定されても良く、例えば、撮像装置１００本体の基準姿勢からの回動量が所定量以上となっている姿勢等が挙げられる。
【００２９】
このように、姿勢判定部７ａは、操作入力部１１により撮像指示が入力された後、当該撮像装置１００本体が特定の姿勢となっているか否かを所定のタイミングで逐次判定する判定手段を構成している。
【００３０】
再生制御部７ｂは、撮像部１により撮像された撮像画像のレックビュー画像を表示部１０に再生表示させる。
即ち、再生制御部７ｂは、姿勢判定部７ａにより当該撮像装置１００本体が特定の姿勢となったと判定された場合に、表示処理部９に撮像画像のレックビュー画像に係るビデオ信号を生成させて、当該ビデオ信号に基づいて表示部１０の表示画面にレックビュー画像を再生表示させる。
このとき、再生制御部７ｂは、ユーザによる操作入力部１１のシャッタボタン１１ａの所定操作に基づいて被写体の撮像指示が入力されてから所定時間（例えば、１〜３秒程度等）が経過するまで、１回に限って撮像画像のレックビュー画像を再生表示させる制御を行う。つまり、再生制御部７ｂは、姿勢判定部７ａにより操作入力部１１から撮像指示が入力されてから所定時間が経過するまでに当該撮像装置１００本体が特定の姿勢となったと判定された場合に、直ちに撮像画像のレックビュー画像を表示部１０に再生表示させる。
このように、再生制御部７ｂは、姿勢判定部７ａにより当該装置本体が特定の姿勢となったと判定された場合に、撮像部１により撮像された撮像画像を再生させる再生制御手段を構成している。
【００３１】
禁止制御部７ｃは、再生制御部７ｂによる撮像画像のレックビュー画像の再生表示を禁止させる。
即ち、禁止制御部７ｃは、姿勢判定部７ａにより撮像指示が入力されてから所定時間が経過するまでに当該撮像装置１００本体が特定の姿勢となっていないと判定された場合に、その後の再生制御部７ｂによる撮像画像のレックビュー画像の再生表示を禁止させる。
具体的には、姿勢判定部７ａは、上記したように、当該撮像装置１００本体が特定の姿勢となっているか否かを所定のタイミングで逐次判定する。この姿勢判定部７ａによって、ユーザによる操作入力部１１のシャッタボタン１１ａの所定操作に基づいて被写体の撮像指示が入力されてから所定時間が経過するまでに当該撮像装置１００本体が特定の姿勢となっていないと一旦判定されると、その後、当該撮像装置１００本体が特定の姿勢となったと判定されても、禁止制御部７ｃは、再生制御部７ｂによる撮像画像のレックビュー画像の再生表示を禁止させる。つまり、ユーザによる操作入力部１１のシャッタボタン１１ａの所定操作に基づいて被写体の撮像指示が入力された後、当該撮像装置１００本体が特定の姿勢となることなく所定時間が経過した場合には、再生制御部７ｂによる撮像画像のレックビュー画像の再生表示が行われることがなくなる。
【００３２】
このように、禁止制御部７ｃは、姿勢判定部７ａにより撮像指示が入力されてから所定時間が経過するまでに当該撮像装置１００本体が特定の姿勢となっていないと判定された場合に、その後、当該撮像装置１００本体が特定の姿勢となったと判定されても、再生制御部７ｂによる撮像画像の再生を禁止させる禁止制御手段を構成している。
【００３３】
設定制御部７ｄは、撮像装置１００の動作状態の設定を制御する。
即ち、設定制御部７ｄは、姿勢判定部７ａにより操作入力部１１から撮像指示が入力されてから所定時間が経過するまでに当該撮像装置１００本体が特定の姿勢となったと判定された場合に、動作状態として再生制御部７ｂにより撮像画像のレックビュー画像を表示部１０に再生表示させる再生状態を設定する。また、設定制御部７ｄは、動作状態が再生状態にて、当該撮像装置１００本体が特定の姿勢となっているか否かを所定のタイミングで逐次判定する姿勢判定部７ａにより当該撮像装置１００本体が特定の姿勢となっていないと判定された場合には、動作状態として撮像部１により被写体を撮像可能な撮像準備状態を設定する。具体的には、設定制御部７ｄは、禁止制御部７ｃにより撮像画像のレックビュー画像の再生表示を禁止させて、撮像部１により被写体を撮像可能な撮像準備状態を動作状態として設定する。これにより、表示部１０は、被写体の撮像により生成された複数の画像フレームを所定のフレームレートで逐次更新しながらライブビュー画像を表示する。
また、設定制御部７ｄは、姿勢判定部７ａにより当該撮像装置１００本体が特定の姿勢となっていないと判定されて、動作状態を再生状態から撮像準備状態に切り替えた場合には、その後、新たな被写体の撮像指示が入力されずに、姿勢判定部７ａにより所定時間が経過するまでに当該撮像装置１００本体が再度特定の姿勢となったと判定されても、当該動作状態を再生状態に切り替えることなく撮像準備状態を維持させる。つまり、姿勢判定部７ａによって、ユーザによる操作入力部１１のシャッタボタン１１ａの所定操作に基づいて被写体の撮像指示が入力されてから所定時間が経過するまでに当該撮像装置１００本体が特定の姿勢となったと判定されると、設定制御部７ｄは、動作状態を再生状態に切り替える。そして、姿勢判定部７ａにより当該撮像装置１００本体が特定の姿勢となっていないと判定されると、設定制御部７ｄは、動作状態を再生状態から撮像準備状態に切り替えるが、その後、ユーザによる操作入力部１１のシャッタボタン１１ａの所定操作が行われないままだと、所定時間が経過するまでに当該撮像装置１００本体が再度特定の姿勢となっても、動作状態として撮像準備状態を維持させる。
【００３４】
このように、設定制御部７ｄは、動作状態が撮像画像を再生する再生状態にて、姿勢判定部７ａにより当該撮像装置１００本体が特定の姿勢となっていないと判定された場合に、直ちに禁止制御部７ｃにより撮像画像の再生を禁止させて、動作状態として撮像部１により被写体を撮像可能な撮像準備状態を設定する動作設定手段を構成している。
【００３５】
記録媒体制御部８は、記録媒体Ｍが着脱自在に構成され、装着された記録媒体Ｍからのデータの読み出しや記録媒体Ｍに対するデータの書き込みを制御する。
即ち、記録媒体制御部８は、画像処理部５の符号化部（図示略）により所定の圧縮形式（例えば、ＪＰＥＧ形式等）で符号化された記録用の画像データを記録媒体Ｍに記録させる。
なお、記録媒体Ｍは、例えば、不揮発性メモリ（フラッシュメモリ）等により構成されるが、一例であってこれに限られるものではなく、適宜任意に変更可能である。
【００３６】
表示処理部９は、メモリ４に一時的に記憶されている表示用の画像データを読み出して表示部１０に表示させる。
具体的には、表示処理部９は、ＶＲＡＭ（Video Random Access Memory）、ＶＲＡＭコントローラ、デジタルビデオエンコーダなどを備えている。そして、デジタルビデオエンコーダは、中央制御部１２の制御下にてメモリ４から読み出されてＶＲＡＭ（図示略）に記憶されている輝度信号Ｙ及び色差信号Ｃｂ，Ｃｒを、ＶＲＡＭコントローラを介してＶＲＡＭから定期的に読み出して、これらのデータを元にビデオ信号を発生して表示部１０に出力する。
【００３７】
表示部１０は、例えば、液晶表示パネルであり、表示処理部９からのビデオ信号に基づいて電子撮像部１ｂにより撮像された画像などを表示画面に表示する。具体的には、表示部１０は、静止画撮像モードや動画撮像モードにて、撮像部１及び撮像制御部２による被写体の撮像により生成された複数の画像フレームを所定のフレームレートで逐次更新しながらライブビュー画像を表示する。また、表示部１０は、静止画として記録される撮像画像のレックビュー画像を表示したり、動画として記録中の画像を表示する。
【００３８】
操作入力部１１は、当該撮像装置１００の所定操作を行うためのものである。具体的には、操作入力部１１は、半押し及び全押し操作可能に構成され、被写体の撮像指示の入力に係るシャッタボタン１１ａ、動作モードや機能等の選択指示の入力に係る選択決定用ボタン（図示略）、ズーム量の調整指示の入力に係るズームボタン（図示略）等を備え、これらのボタンの操作に応じて所定の操作信号を中央制御部１２に出力する。
【００３９】
中央制御部１２は、撮像装置１００の各部を制御するものである。具体的には、中央制御部１２は、図示は省略するが、ＣＰＵ（Central Processing Unit）、ＲＡＭ（Random Access Memory）、ＲＯＭ（Read Only Memory）等を備え、撮像装置１００用の各種処理プログラム（図示略）に従って各種の制御動作を行う。
【００４０】
次に、撮像装置１００によるメイン処理について図２を参照して説明する。
図２は、メイン処理に係る動作の一例を示すフローチャートである。
【００４１】
なお、以下に説明するメイン処理にあっては、動作モードの判定用にモードフラグを使用し、当該モードフラグに「１」がセットされている状態が、動作モードとして撮像モードが設定されている状態とし、モードフラグに「０」がセットされている状態が、動作モードとして画像再生モードが設定されている状態とする。
【００４２】
図２に示すように、先ず、動作制御部７は、メモリ４に記憶されている各種フラグやタイマのカウント値（後述）などを初期化（イニシャライズ）し（ステップＳ１）、その後、動作制御部７は、動作モードの判定用のモードフラグが「１」であるか否かを判定する（ステップＳ２）。
ここで、モードフラグが「１」であると判定されると（ステップＳ２；ＹＥＳ）、中央制御部１２は、ユーザによる操作入力部１１のシャッタボタン１１ａの所定操作（例えば、全押し操作）に基づいて被写体の撮像指示が入力されたか否かを判定する（ステップＳ３）。
【００４３】
ステップＳ３にて、被写体の撮像指示が入力されたと判定されると（ステップＳ３；ＹＥＳ）、動作制御部７は、撮像指示が入力された時点からの経過時間のカウント用のタイマのカウント値に「０」をセットする（ステップＳ４）。その後、動作制御部７は、タイマによる計時が開始しているか否かの判定用のタイマフラグに「１」をセットする（ステップＳ５）。これにより、タイマによる計時が開始して、所定時間毎に行われるタイマ割込み処理（図３参照）にて、タイマの値がカウントアップされていく。
【００４４】
ここで、タイマ割込み処理について図３を参照して説明する。図３は、タイマ割込み処理に係る動作の一例を示すフローチャートである。
図３に示すように、動作制御部７は、タイマフラグが「１」であるか否かを判定する（ステップＳ２１）。
ステップＳ２１にて、タイマフラグが「１」であると判定されると（ステップＳ２１；ＹＥＳ）、動作制御部７は、タイマの値をカウントアップする（ステップＳ２２）。一方、ステップＳ２１にて、タイマフラグが「１」でないと判定されると（ステップＳ２１；ＮＯ）、タイマフラグが「０」であるので、動作制御部７は、ステップＳ２２の処理をスキップする。
【００４５】
図２に戻り、ステップＳ５の処理後、撮像制御部２は、フォーカスレンズの合焦位置や露出条件（シャッター速度、絞り、増幅率等）やホワイトバランス等の撮像条件を調整して、レンズ部１ａを通過した所定の被写体の光学像を電子撮像部１ｂにより撮像させる（ステップＳ６）。そして、画像データ生成部３は、電子撮像部１ｂから転送された撮像画像のＹＵＶデータを生成する。なお、当該撮像画像のＹＵＶデータは、画像処理部５の符号化部（図示略）により所定の圧縮形式（例えば、ＪＰＥＧ形式等）で符号化された後、記録媒体制御部８に転送されて記録媒体Ｍに記録される。
【００４６】
続けて、中央制御部１２は、操作入力部１１の選択決定用ボタンの所定操作に基づいて動作モードの切替指示が入力されたか否かを判定する（ステップＳ７）。
ここで、動作モードの切替指示が入力されていないと判定されると（ステップＳ７；ＮＯ）、動作制御部７は、図２のメイン処理にて詳細に説明される以外の各種処理（その他の処理）を実行した後（ステップＳ８）、処理をステップＳ２に移行して、上記と同様に、動作制御部７は、動作モードの判定用のモードフラグが「１」であるか否かを判定する（ステップＳ２）。
【００４７】
ステップＳ２では、モードフラグの値は変更されていないため、モードフラグが「１」であると判定され（ステップＳ２；ＹＥＳ）、中央制御部１２は、処理をステップＳ３に移行して、ユーザによる操作入力部１１のシャッタボタン１１ａの所定操作に基づいて被写体の撮像指示が入力されたか否かを判定する（ステップＳ３）。
ステップＳ３にて、被写体の撮像指示が入力されていないと判定されると（ステップＳ３；ＮＯ）、姿勢判定部７ａは、姿勢検出部６により検出された当該撮像装置１００本体の姿勢に基づいて、当該撮像装置１００本体が特定の姿勢（例えば、下向きの姿勢）となっているか否かを判定する（ステップＳ９）。
【００４８】
ステップＳ９にて、当該撮像装置１００本体が特定の姿勢となっていると判定されると（ステップＳ９；ＹＥＳ）、動作制御部７は、タイマのカウント値が所定時間「Ａ」以上であるか否かを判定する（ステップＳ１０）。
ここで、タイマのカウント値が所定時間「Ａ」以上でないと判定されると（ステップＳ１０；ＮＯ）、動作制御部７は、タイマフラグに「０」をセットする（ステップＳ１１）。これにより、タイマによる計時が停止する。
【００４９】
続けて、再生制御部７ｂは、撮像部１により撮像された撮像画像のレックビュー画像の再生処理を行う（ステップＳ１２）。具体的には、再生制御部７ｂは、表示処理部９に撮像画像のレックビュー画像に係るビデオ信号を生成させて、当該ビデオ信号に基づいて表示部１０の表示画面にレックビュー画像を再生表示させる。
その後、中央制御部１２は、処理をステップＳ７に移行して、それ以降の処理を実行する。
【００５０】
一方、ステップＳ９にて、当該撮像装置１００本体が特定の姿勢となっていないと判定されると（ステップＳ９；ＮＯ）、動作制御部７は、タイマフラグが「０」であるか否かを判定する（ステップＳ１３）。
ここで、タイマフラグが「０」でないと判定されると（ステップＳ１３；ＮＯ）、動作制御部７は、撮像部１による被写体の撮像を準備する撮像準備処理を行う（ステップＳ１４）。具体的には、動作制御部７の設定制御部７ｄは、動作状態として撮像部１により被写体を撮像可能な撮像準備状態を設定して、表示処理部９は、被写体の撮像により生成された複数の画像フレームを所定のフレームレートで逐次更新しながらライブビュー画像を表示部１０に表示させる。つまり、当該撮像装置１００本体が特定の姿勢となっていない場合には、再生制御部７ｂによる撮像画像のレックビュー画像の再生処理（ステップＳ１２）は行われない。
その後、中央制御部１２は、処理をステップＳ７に移行して、それ以降の処理を実行する。
【００５１】
また、ステップＳ９にて、姿勢判定部７ａにより当該撮像装置１００本体が特定の姿勢となっていると判定された後（ステップＳ９；ＹＥＳ）、ステップＳ１０にて、動作制御部７によりタイマのカウント値が所定時間「Ａ」以上であると判定された場合（ステップＳ１０；ＹＥＳ）、中央制御部１２は、処理をステップＳ１４に移行して、動作制御部７の禁止制御部７ｃは、再生制御部７ｂによる撮像画像のレックビュー画像の再生表示を禁止させて、設定制御部７ｄは、撮像部１により被写体を撮像可能な撮像準備状態を動作状態として設定する。
つまり、当該撮像装置１００本体が特定の姿勢となっている場合であっても、ユーザによる操作入力部１１のシャッタボタン１１ａの所定操作に基づいて被写体の撮像指示が入力されてから所定時間が経過した場合、即ち、被写体の撮像指示が入力された後、当該撮像装置１００本体が特定の姿勢となることなく所定時間が経過した場合には、その後、当該撮像装置１００本体が特定の姿勢となっても、再生制御部７ｂによる撮像画像のレックビュー画像の再生処理（ステップＳ１２）は行われない。
【００５２】
一方、ステップＳ１３にて、タイマフラグが「０」であると判定されると（ステップＳ１３；ＹＥＳ）、動作制御部７は、タイマのカウント値に所定時間「Ａ」をセットする（ステップＳ１５）。その後、動作制御部７は、撮像部１による被写体の撮像を準備する撮像準備処理を行う（ステップＳ１４）。
即ち、ステップＳ１０にて、動作制御部７によりタイマのカウント値が所定時間「Ａ」以上でないと判定（ステップＳ１０；ＮＯ）されることにより、ステップＳ１１にて、動作制御部７によりタイマフラグに「０」がセットされる。そして、その後、ステップＳ９にて、姿勢判定部７ａにより当該撮像装置１００本体が特定の姿勢となっていないと判定された後（ステップＳ９；ＮＯ）、ステップＳ１３にて、タイマフラグが「０」であると判定されると（ステップＳ１３；ＹＥＳ）、動作制御部７は、タイマのカウント値に所定時間「Ａ」をセットする（ステップＳ１５）。
これにより、その後、ステップＳ９にて、姿勢判定部７ａにより当該撮像装置１００本体が特定の姿勢となっていると判定された場合であっても（ステップＳ９；ＹＥＳ）、ステップＳ１０にて、動作制御部７によりタイマのカウント値が所定時間「Ａ」以上でないと判定（ステップＳ１０；ＮＯ）されることがなくなる。つまり、設定制御部７ｄは、被写体の撮像指示が入力されてから所定時間が経過するまでに当該撮像装置１００本体が再度特定の姿勢となっても、動作状態を再生状態に切り替えることなく撮像準備状態を維持させる。
【００５３】
一方、ステップＳ７にて、動作モードの切替指示が入力されたと判定されると（ステップＳ７；ＹＥＳ）、動作制御部７は、動作モードの判定用のモードフラグの値を反転させる（ステップＳ１６）。即ち、動作制御部７は、値が「１」にセットされているモードフラグに「０」をセットする。
続けて、動作制御部７は、タイマのカウント値に所定時間「Ａ」をセットする（ステップＳ１７）。その後、中央制御部１２は、処理をステップＳ８に移行して、図２のメイン処理にて詳細に説明される以外の各種処理（その他の処理）を実行した後（ステップＳ８）、処理をステップＳ２に移行する。
【００５４】
ステップＳ２では、動作制御部７により動作モードの判定用のモードフラグが「１」でないと判定され（ステップＳ２）、再生制御部７ｂは、撮像部１により撮像された撮像画像のレックビュー画像の再生処理を行う（ステップＳ１８）。具体的には、再生制御部７ｂは、表示処理部９に撮像画像のレックビュー画像に係るビデオ信号を生成させて、当該ビデオ信号に基づいて表示部１０の表示画面にレックビュー画像を再生表示させる。なお、このステップＳ１８における再生処理では、記録媒体Ｍに記録されている撮像画像のレックビュー画像以外の記録画像を所定のタイミングで切り替えて表示部１０の表示画面に再生表示しても良い。
その後、中央制御部１２は、処理をステップＳ７に移行して、それ以降の処理を実行する。
【００５５】
なお、ステップＳ１７にて、動作制御部７によりタイマのカウント値に所定時間「Ａ」がセットされているので、その後、ステップＳ７にて、中央制御部１２により動作モードの切替指示が入力されたと再度判定されて（ステップＳ７；ＹＥＳ）、ステップＳ１６にて、動作制御部７によりモードフラグの値が再度反転された後、ステップＳ９にて、姿勢判定部７ａにより当該撮像装置１００本体が特定の姿勢となっていると判定された場合であっても（ステップＳ９；ＹＥＳ）、ステップＳ１０にて、動作制御部７によりタイマのカウント値が所定時間「Ａ」以上でないと判定（ステップＳ１０；ＮＯ）されることがなくなる。つまり、設定制御部７ｄは、被写体の撮像指示が入力されてから所定時間が経過するまでに当該撮像装置１００本体が特定の姿勢となって再生状態の時に一旦動作モードを切り替えて、その後、再度動作モードを切り替えたとしても、動作状態を再生状態に維持することなく撮像準備状態に切り替える。
【００５６】
以上のように、本実施形態の撮像装置１００によれば、当該撮像装置１００本体が特定の姿勢となった場合に、撮像部１により撮像された撮像画像のレックビュー画像を直ちに再生表示させるので、撮像画像のレックビュー画像を再生表示する動作状態に設定する際に待ち時間を生じさせることがなくなる。特に、被写体の撮像指示が入力されてから所定時間が経過するまでであれば、当該撮像装置１００本体が特定の姿勢となった場合に、１回に限り、撮像画像のレックビュー画像を直ちに再生表示することができる。
また、被写体の撮像指示が入力されてから所定時間が経過するまでに当該撮像装置１００本体が特定の姿勢となっていない場合には、その後、当該撮像装置１００本体が特定の姿勢となっても、撮像画像のレックビュー画像の再生表示を禁止させるので、被写体の撮像指示が入力されてから当該撮像装置１００本体が特定の姿勢となることなく所定時間が経過した後は、ユーザが撮像画像のレックビュー画像を確認する意図を有していないと判断して、撮像画像のレックビュー画像を再生表示することを防止することができる。
従って、撮像装置１００本体の姿勢に応じたユーザの意図を考慮して動作状態の設定を適正に、且つ、迅速に行うことができる。
【００５７】
また、動作状態が撮像画像のレックビュー画像を再生表示する再生状態にて、当該撮像装置１００本体が特定の姿勢となっていないと判定されると、撮像画像のレックビュー画像の再生表示を禁止して、動作状態として被写体を撮像可能な撮像準備状態を設定するので、撮像画像のレックビュー画像を再生表示中であっても、撮像装置１００本体が特定の姿勢となっていないことに基づいて、ユーザが撮像画像のレックビュー画像を視認する意図を有していないと判断して、被写体を撮像可能な撮像準備状態を直ちに設定することができる。
さらに、その後、被写体の撮像指示が入力されてから所定時間が経過するまでに当該撮像装置１００本体が特定の姿勢となったと判定されても、当該動作状態を再生状態に切り替えることなく撮像準備状態を維持させるので、ユーザが当該撮像装置１００本体を特定の姿勢とした状態での被写体の撮像の意図を有していると判断して、被写体を撮像可能な撮像準備状態を維持することができる。
このように、撮像装置１００本体の姿勢に応じてユーザの意図を考慮した適正な動作状態を設定することができる。
【００５８】
なお、本発明は、上記実施形態に限定されることなく、本発明の趣旨を逸脱しない範囲において、種々の改良並びに設計の変更を行っても良い。
例えば、上記実施形態にあっては、設定制御部７ｄは、動作状態が撮像画像を再生する再生状態にて、ユーザによって操作入力部１１のシャッタボタン１１ａが半押し操作されると、当該動作状態として撮像準備状態を設定しても良い。
【００５９】
即ち、設定制御部７ｄは、動作状態として再生状態に設定した後、ユーザによって操作入力部１１のシャッタボタン１１ａが半押し操作されると、当該動作状態として撮像準備状態を設定する。具体的には、姿勢判定部７ａによって、ユーザによる操作入力部１１のシャッタボタン１１ａの所定操作に基づいて被写体の撮像指示が入力されてから所定時間が経過するまでに当該撮像装置１００本体が特定の姿勢となったと判定されると、設定制御部７ｄは、動作状態を再生状態に切り替える。その後、ユーザによって操作入力部１１のシャッタボタン１１ａが半押し操作されると、設定制御部７ｄは、禁止制御部７ｃにより撮像画像のレックビュー画像の再生表示を禁止させて、動作状態を撮像部１により被写体を撮像可能な撮像準備状態に切り替える。
【００６０】
従って、動作状態が撮像画像のレックビュー画像を再生する再生状態にて、ユーザによって操作入力部１１のシャッタボタン１１ａが半押し操作されると、動作状態として撮像準備状態を設定するので、撮像画像のレックビュー画像を再生表示中であっても、操作入力部１１のシャッタボタン１１ａの半押し操作に基づいてユーザが撮像画像のレックビュー画像を視認する意図を有していないと判断して、被写体を撮像可能な撮像準備状態を直ちに設定することができる。
このとき、設定制御部７ｄにより動作状態が被写体を撮像可能な撮像準備状態に切り替えられると、合焦手段としてのＡＦ処理部２ａは、撮像部１の合焦位置を調整する自動合焦処理を行っても良い。これにより、操作入力部１１のシャッタボタン１１ａの半押し操作に基づいてユーザが被写体を撮像する意図を有していると判断して、直ちに撮像部１の合焦位置の調整を行うことができる。
このように、撮像装置１００本体の操作入力部１１のシャッタボタン１１ａの半押し操作に応じてユーザの意図を考慮した適正な動作状態を設定することができる。
【００６１】
また、上記実施形態にあっては、動作状態が再生状態から撮像準備状態に切り替えられた場合に、被写体の撮像指示が入力されてから所定時間が経過するまでに当該撮像装置１００本体が特定の姿勢となったと判定されても、当該動作状態を再生状態に切り替えることなく撮像準備状態を維持させるようにしたが、これに限られるものではなく、当該撮像装置１００本体が特定の姿勢となったと判定された場合には、何度でも当該動作状態を再生状態に切り替えて、撮像部１により撮像された撮像画像のレックビュー画像を再生表示させるようにしても良い。
このとき、ユーザによって操作入力部１１のシャッタボタン１１ａが半押し操作されると、動作状態として撮像準備状態を設定しても良く、これにより、操作入力部１１のシャッタボタン１１ａの半押し操作に基づいてユーザが当該撮像装置１００本体を特定の姿勢とした状態での被写体の撮像の意図を有していると判断して、直ちに被写体の撮像を行うことができる。
【００６２】
なお、上記実施形態にあっては、撮像装置１００本体が特定の姿勢となっている状態で被写体の撮像を行った場合には、メイン処理（図２参照）のステップＳ９にて、当該撮像装置１００本体が特定の姿勢となっていると判定（ステップＳ９；ＹＥＳ）されてしまい、ステップＳ１２にて、撮像画像のレックビュー画像の再生処理が行われてしまうといった問題が生じる。そこで、特定の姿勢で被写体の撮像を行う場合には、特定の姿勢での被写体の撮像用の所定のフラグを設定したり、当該特定の姿勢での撮像モードを設定することで、撮像画像のレックビュー画像の再生処理を自動的に行わないようにしても良い。また、メイン処理にて、姿勢検出部６により検出された撮像装置１００本体の姿勢を所定時間間隔毎にメモリ４などに逐次記憶しておき、撮像装置１００本体の姿勢が特定の姿勢のまま所定時間以上保持されていると判断した場合には、ユーザが撮像装置１００本体を特定の姿勢として構図の調整を行っていたと判断して、被写体の撮像後に撮像画像のレックビュー画像の再生処理を自動的に行わないようにしても良い。
【００６３】
また、撮像装置１００の構成は、上記実施形態に例示したものは一例であり、これに限られるものではない。例えば、撮像装置１００の動作状態の設定を制御する設定制御部７ｄを備えるようにしたが、当該設定制御部７ｄを備えるか否かは適宜任意に変更可能である。
【００６４】
加えて、上記実施形態にあっては、判定手段、再生制御手段、禁止制御手段としての機能を、中央制御部１２の制御下にて、動作制御部７の姿勢判定部７ａ、再生制御部７ｂ、禁止制御部７ｃが駆動することにより実現される構成としたが、これに限られるものではなく、中央制御部１２によって所定のプログラム等が実行されることにより実現される構成としても良い。
即ち、プログラムを記憶するプログラムメモリ（図示略）に、判定処理ルーチン、再生制御処理ルーチン、禁止制御処理ルーチンを含むプログラムを記憶しておく。そして、判定処理ルーチンにより中央制御部１２のＣＰＵを、操作手段により撮像指示が入力された後、当該装置本体が特定の姿勢となっているか否かを所定のタイミングで逐次判定する判定手段として機能させるようにしても良い。また、再生制御処理ルーチンにより中央制御部１２のＣＰＵを、判定手段により当該装置本体が特定の姿勢となったと判定された場合に、前記撮像指示の入力に応答して撮像手段により撮像された撮像画像を再生させる再生制御手段として機能させるようにしても良い。また、禁止制御処理ルーチンにより中央制御部１２のＣＰＵを、判定手段により撮像指示が入力されてから所定時間が経過するまでに当該装置本体が特定の姿勢となっていないと判定された場合に、その後、当該装置本体が特定の姿勢となったとしても、再生制御手段による前記撮像画像の再生を禁止させる禁止制御手段として機能させるようにしても良い。
【００６５】
同様に、動作設定手段、合焦手段についても、中央制御部１２のＣＰＵによって所定のプログラム等が実行されることにより実現される構成としても良い。
【００６６】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【符号の説明】
【００６７】
１００  撮像装置
１      撮像部
２      撮像制御部
２ａ    ＡＦ処理部
７      動作制御部
７ａ    姿勢判定部
７ｂ    再生制御部
７ｃ    禁止制御部
７ｄ    設定制御部
１１    操作入力部
１１ａ  シャッタボタン
１２    中央制御部
【図１】
0005136624.tif 000002
【図２】
0005136624.tif 000003
【図３】
0005136624.tif 000004